(57)【要約】【課題】  木の臭いがコーヒに移る不都合がないことはもちろん、開封後もコーヒの香りが抜けない気密性が保持され、しかも、コーヒの発酵によるガスが抜かれるために不用意に蓋が開くようなことはなく、また、蓋が開け閉めしやすい構造である木樽様コーヒ包装容器を提供する。【解決手段】  木樽と、その中に収めて一体化されるプラスチック製の内容器と、木樽の上に被せられるプラスチック製の蓋とからなり、蓋の下面に内容器に差し込まれる環状突条を垂設し、環状突条の外周面に内容器の内周面に気密が保持されるよう押圧される環状突起を突設し、さらに環状突条には環状突起よりも上においてエアー抜きの細孔を開口し、蓋の外周に細孔の位置において僅かに突出する開けるときの手掛りを突設した。【選択図】    図１
2006082825.tif 000002
【特許請求の範囲】
【請求項１】
木樽と、その中に収めて一体化されるプラスチック製の内容器と、木樽の上に被せられるプラスチック製の蓋とからなり、蓋の下面に内容器に差し込まれる環状突条を垂設し、環状突条の外周面に内容器の内周面に気密が保持されるよう押圧される環状突起を突設し、さらに環状突条には環状突起よりも上においてエアー抜きの細孔を開口し、蓋の外周に細孔の位置において僅かに突出する開けるときの手掛りを突設したことを特徴とする木樽様コーヒ包装容器。
【請求項２】
木樽の内周面が垂直又はほゞ垂直に形成され、内容器の外周面には木樽の内周面に食い込み得る山形断面の縦リブを等間隔おきに突設するとともに、各縦リブを下端にゆくにつれて山高くなる逆抜き勾配に形成したことを特徴とする請求項１記載の木樽様コーヒ包装容器。
【発明の詳細な説明】
【技術分野】
【０００１】
この発明は、コーヒを販売するための包装に使用され、使用者において引き続きその保存容器として使用される木樽様コーヒ包装容器に関する。
【背景技術】
【０００２】
コーヒを販売する包装形態については、従来、ネジ蓋付き金属缶詰め、ネジ蓋付きガラス瓶詰め等があった。いずれの場合も、流通過程では気密性に優れているが、一旦開封されるとネジの間からの通気のために気密性が乏しくなるし、蓋の開け閉めに時間がかかる。また、材料が金属やガラスで人工的な冷さを感じ、温かみや趣向に欠けるという問題があった。そこで、この出願人においては、自然木の温もりが感じられるように、木樽様にコーヒ包装容器を構成することを考えたが、これには幾つかの解決する課題があった。
【０００３】
まず、自然木であると、良い臭いがするものの、それがコーヒに移るとコーヒ独特の香りを損ねるので、木樽そのままであると使用に適しないし、気密性も得られがたい。また、これを解決するために、木樽の内周にプラスチック製の内容器を埋設して一体化し、蓋もプラスチックで成形し、蓋がネジによらないで（ストレートな嵌め込み式にして）内容器に密着する構造を考えた。こうした場合に内容器の中の気密性が高まり、したがって木樽の臭いも侵入することは避けられ、蓋の開け閉めもワンタッチ操作となるが、コーヒが内部で発酵すると発生したガスのために内圧が高まり、不用意に蓋が浮き上がって抜け出る不都合がある。
【０００４】
しかも、内容器に蓋が密着しているために、蓋を開けるためにそれを持ち上げると内容器の内圧が低下することになるので、負圧のため蓋が次第に抜けがたくなる。さらに、問題となることは、自然木とプラスチックとでは熱膨張が異なるために、木樽と内容器との一体結合に甘さが生じることになるという問題もあった。
【発明の開示】
【発明が解決しようとする課題】
【０００５】
この発明は、上記のような観点から、木の臭いがコーヒに移る不都合がないことはもちろん、開封後もコーヒの香りが抜けない気密性が保持され、しかも、コーヒの発酵によるガスが抜かれるために不用意に蓋が開くようなことはなく、また、蓋が開け閉めしやすい構造である木樽様コーヒ包装容器を提供することを課題とした。
【課題を解決するための手段】
【０００６】
この発明は、上記のような課題を解決するために、木樽と、その中に収めて一体化されるプラスチック製の内容器と、木樽の上に被せられるプラスチック製の蓋とからなり、蓋の下面に内容器に差し込まれる環状突条を垂設し、環状突条の外周面に内容器の内周面に気密が保持されるよう押圧される環状突起を突設し、さらに環状突条には環状突起よりも上においてエアー抜きの細孔を開口し、蓋の外周に細孔の位置において僅かに突出する開けるときの手掛りを突設したことを特徴とする木樽様コーヒ包装容器を提供する。
【０００７】
木樽様コーヒ包装容器を上記のように構成したから、内容器の内面に対して蓋の環状突起が押圧し、その密着によって気密性が保持される。つまり、ストレートな嵌め込み式であるが、詰められているコーヒが発酵してガスが発生したとしても、細孔から環状突起の外に抜け、次いで内容器と木樽の上端面と蓋との僅かな隙間から排出される。また、手掛りに指を掛けて蓋を開くと、蓋の傾きを伴って細孔が外へ露出し内外気圧が通じる状態となるので、内圧の低下により蓋が開きがたくなるという不都合が防止される。
【発明の効果】
【０００８】
以上説明したように、この発明の木樽様コーヒ包装容器によれば、木樽様に趣のある陳列をなして使用し得ることはもちろん、気密性が良好であるために、湿気を防ぐことができるだけでなく木の臭いがコーヒに移る不都合を防止でき、また、蓋が嵌め込み式であるにもかかわらず、コーヒの発酵に伴う内圧の高まりがないために蓋が不用意に開くことがなく、また、蓋を開け閉めしやすいという優れた効果がある。
【０００９】
また、木樽の内周面が垂直に形成され、内容器の外周面には木樽の内周面に食い込み得る山形断面の縦リブを等間隔おきに突設するとともに、各縦リブを下端にゆくにつれて山高くなる逆抜き勾配に形成すると（請求項２）、木樽と内容器との一体化が強固となり、外観的にも安定感がかもしだされる。
【発明を実施するための最良の形態】
【００１０】
次に、この発明の実施形態を図面に基づいて説明する。
【００１１】
図１ないし図３は、一の実施形態を示したもので、その木樽様コーヒ包装容器Ｐａは、木樽１と、それに納まるプラスチック製の内容器２と、蓋３とから構成され、木樽１と内容器２とは一体化される。
【００１２】
木樽１は、多数枚の木板５，５，・・を円形の底板７の周囲に丸く並べ、金属輪のタガ９で締められる。木板５，５，・・が並ぶ円筒形の本体６は、普通の洋式木樽と同じく外周は膨出しているが、内周は垂直になっており、上下両端の内周に段差凹欠部１０，１１が設けれらている。また、タガ９が嵌められる箇所に凹溝１２が形成されている。そして、下端の段差凹欠部１１には底板７が嵌まり、これで下端の気密性が確保される。
【００１３】
内容器２は、円筒形の容器であるが、木樽１の内周に嵌め込みやすく下端にゆくにつれてやゝ小径に形成されている。しかし、外周面には等間隔おきに縦リブ１３，１３，・・を突設し、それぞれを断面三角形の山形に形成するとともに、下端にゆくにつれて山高く形成してある。そこで、内容器２を木樽１に押し込むと、縦リブ１３，１３，・・が木面の内周面に食い込むことによって木に馴染み、抜けなく固定される。
【００１４】
また、内容器２の上端の外周には、木樽１の上端の段差凹欠部１０に嵌まる環状突縁部１５が形成され、ここに掛かることによって、木樽１の底板７との間に僅かな空隙が生じている。
【００１５】
蓋３は、これもプラスチック製ではあるが、上端面に広く凹部を設けてそこに木板１９を嵌め込み、こうして蓋３についても木樽１と調和するように木製に似せてある。また、蓋３の下端面の外周近くに沿って、内容器２の内側に差し込まれる環状突条２１を垂設し、その下端部外周に内容器２の内周面に押圧される環状突起２３が突設され、これによって内容器２内の気密性が保持される。この点については、内容器２と蓋３とのプラスチックには、硬質ではあるが比較的軟質系統のポリプロピレンが使用されているので、気密性が良好に作用する。
【００１６】
さらに蓋３の環状突条２１には、環状突起２３よりも上において通気のための細孔２５が開けられている。そこで、内容器２に入れられているコーヒが発酵することによりガスで内圧が高まったときには、細孔２５を通じて内容器２および木樽１の上端との間からガスが抜けることになるので、内圧の高まりにより蓋３が持ち上がる不都合が防止される。
【００１７】
また、蓋３の外周に蓋を開ける手掛り２７が目立たないように僅かなべろ出し状に突設される。そこで、手掛り２７に指を掛けることにより蓋３を開くと、それが傾いて手掛り２７の箇所が持ち上げられ、細孔２５が外に開口することになって、内圧の低下が防止されることから蓋３を開きやすい。
【００１８】
図４および図５は、他の実施形態を示したもので、その木樽様コーヒ包装容器Ｐｂは、前記実施形態の木樽様コーヒ包装容器Ｐａとほゞ同様であるが、蓋３について、環状突条２１に上下二段に環状突起２３，２３が突設され、両方の上において細孔２５が形成される。また、内容器２の上端には木樽１の上端面に掛かる鍔部１６を形成することにより、底板７との間に僅かな間隙が生じるようにしてある。
【図面の簡単な説明】
【００１９】
【図１】この発明の一実施形態を示す木樽様コーヒ包装容器の分解斜視図である。
【図２】同木樽様コーヒ包装容器の使用状態における縦断面図である。
【図３】図２のＡ部の拡大断面図である。
【図４】他の実施形態を示す木樽様コーヒ包装容器の縦断面図である。
【図５】図４のＢ部の拡大断面図である。
【符号の説明】
【００２０】
Ｐａ，Ｐｂ  木樽様コーヒ包装容器
１  木樽
２  内容器
３  蓋
１３  縦リブ
２１  環状突条
２３  環状突起
２５  細孔
２７  手掛り
【図１】
2006082825.tif 000003
【図２】
2006082825.tif 000004
【図３】
2006082825.tif 000005
【図４】
2006082825.tif 000006
【図５】
2006082825.tif 000007